(57)【特許請求の範囲】
【請求項１】
接着剤を介して包装体本体に剥離自在に貼付され、
一端部に剥離自在用摘み部を有し包装体本体の内容物取出口を覆う剥離自在部と、該剥離自在部の他端部に連設された剥離停止部と、該剥離自在部と該剥離停止部とを区画する切り込み部とからなり、
上記切り込み部は、上記一端部から剥離される剥離自在部の剥離を停止するように形成されている包装体の開閉蓋用ラベルにおいて、
上記剥離停止部の上記剥離自在部と最も離れた一端部の中央に全剥離用摘み部が形成されており、
上記剥離自在用摘み部及び上記全剥離用摘み部に、それぞれ剥離自在用又は全剥離用を表す表示がなされていることを特徴とする包装体の開閉蓋用ラベル。
【請求項２】
上記切り込み部は、包装体の開閉蓋用ラベルの両側縁から、それぞれ上記剥離停止部の一端部の中央近傍へ向けて対称的に一対形成されていることを特徴とする請求項１に記載の包装体の開閉蓋用ラベル。
【請求項３】
請求項１又は請求項２に記載の包装体の開閉蓋用ラベルが、包装体本体に、その内容物取出口に貼付されていることを特徴とする包装体。
【請求項４】
包装体本体に、その内容物取出口を覆って開閉蓋用ラベルが接着剤を介して剥離自在に貼付されており、
上記開閉蓋用ラベルは、一端部に剥離自在用摘み部を有し包装体の内容物取出口を覆う剥離自在部と、該剥離自在部の他端部に連設された剥離停止部と、該剥離自在部と該剥離停止部とを区画する切り込み部とからなり、該切り込み部は、上記一端部から剥離される剥離自在部の剥離を停止するように形成され、上記剥離停止部の上記剥離自在部と最も離れた一端部の中央に全剥離用摘み部が形成されており、
上記剥離自在用摘み部及び上記全剥離用摘み部それぞれの近傍における上記包装体本体に、それぞれ剥離自在用又は全剥離用を表す表示がなされていることを特徴とする包装体。
【発明の詳細な説明】
【０００１】
【発明の属する技術分野】
本発明は、ウエットティッシュやおしり拭き等の包装体の内容物取出口に剥離自在に貼付される包装体の開閉蓋用ラベル及び該開閉蓋用ラベルを有する包装体に関し、更に詳しくは、剥離自在で繰り返し開閉使用可能で、且つ一度に全剥離して使用可能な包装体の開閉蓋用ラベル及び該開閉蓋用ラベルを有する包装体に関する。
【０００２】
【従来の技術及び発明が解決しようとする課題】
従来より、包装体本体の内容物取出口に貼付される開閉蓋用ラベル及びこの様な開閉蓋用ラベルを有する包装体として、実公昭６１−２０６１０号公報や、実開昭６１−８３５７６号公報に記載のようなものが知られている。これらの包装体の開閉蓋用ラベル及び包装体では、それぞれ添付の図９、添付の図１０に示す様に、包装体１００，２００の開閉蓋用ラベル１１０，２１０は、接着剤（図示せず）を介して包装体本体１２０，２２０に剥離自在に貼付され、包装体本体１２０，２２０の内容物取出口１２１，２２１を覆う剥離自在部１１１，２１１と、該剥離自在部１１１，２１１に連設された剥離停止部１１２，２１２と、該剥離自在部１１１，２１１と該剥離停止部１１２，２１２とを区画する切り込み部１１３，２１３とからなり、上記切り込み部１１３，２１３は、剥離停止部１１２，２１２が連設されていない側の端部からの剥離自在部１１１，２１１の剥離を停止するように形成されている。
【０００３】
上述の様な従来の開閉蓋用ラベル１１０，２１０を有する包装体１００，２００では、開閉蓋用ラベル１１０，２１０を、剥離停止部１１２，２１２が連設されていない側の端部から剥離すると、切り込み部１１３，２１３により、この切り込み部１１３，２１３から先への剥離が阻止される。
【０００４】
上述の様な包装体の開閉蓋用ラベル１１０，２１０は、剥離自在部１１１，２１１だけを繰り返し貼付・剥離することにより包装体本体１２０，２２０を開閉するように形成されており、繰り返し剥離可能な開閉蓋用ラベルとして用いると同時に、必要に応じて全剥離して用いることを意としては形成されておらず、また、上述の様な包装体１００，２００は、開閉蓋用ラベル１１０，２１０を繰り返し貼付・剥離して用いると同時に、必要に応じて全剥離して用いることを意としては形成されていない。
【０００５】
従って、本発明の目的は、剥離自在で繰り返し開閉使用可能で、且つ一度に全剥離して使用可能な包装体の開閉蓋用ラベル及び包装体を提供することにある。
【０００６】
【課題を解決するための手段】
本発明は、接着剤を介して包装体本体に剥離自在に貼付され、一端部に剥離自在用摘み部を有し包装体本体の内容物取出口を覆う剥離自在部と、該剥離自在部の他端部に連設された剥離停止部と、該剥離自在部と該剥離停止部とを区画する切り込み部とからなり、上記切り込み部は、上記一端部から剥離される剥離自在部の剥離を停止するように形成されている包装体の開閉蓋用ラベルにおいて、上記剥離停止部の上記剥離自在部と最も離れた一端部の中央に全剥離用摘み部が形成されており、上記剥離自在用摘み部及び上記全剥離用摘み部に、それぞれ剥離自在用又は全剥離用を表す表示がなされていることを特徴とする包装体の開閉蓋用ラベルを提供することにより、上記目的を達成したものである。
【０００７】
また、本発明は、上記切り込み部は、包装体の開閉蓋用ラベルの両側縁から、それぞれ上記剥離停止部の一端部の中央近傍へ向けて対称的に一対形成されていることを特徴とする請求項１に記載の包装体の開閉蓋用ラベルを提供することにより、上記目的を達成したものである。
【０００８】
本発明は、請求項１又は請求項２に記載の包装体の開閉蓋用ラベルが、包装体本体に、その内容物取出口を覆って貼付されていることを特徴とする包装体を提供することにより、上記目的を達成したものである。
【０００９】
また、本発明は、包装体本体に、その内容物取出口を覆って開閉蓋用ラベルが接着剤を介して剥離自在に貼付されており、上記開閉蓋用ラベルは、一端部に剥離自在用摘み部を有し包装体の内容物取出口を覆う剥離自在部と、該剥離自在部の他端部に連設された剥離停止部と、該剥離自在部と該剥離停止部とを区画する切り込み部とからなり、該切り込み部は、上記一端部から剥離される剥離自在部の剥離を停止するように形成され、上記剥離停止部の上記剥離自在部と最も離れた一端部の中央に全剥離用摘み部が形成されており、上記剥離自在用摘み部及び上記全剥離用摘み部それぞれの近傍における上記包装体本体に、それぞれ剥離自在用又は全剥離用を表す表示がなされていることを特徴とする包装体を提供することにより、上記目的を達成したものである。
【００１０】
【発明の実施の形態】
以下、本発明の包装体の開閉蓋用ラベルの第１の実施形態及び本発明の包装体の第１の実施形態について図面を参照しながら具体的に説明する。尚、本発明の包装体の第１の実施形態は、包装体本体に、本発明の包装体の開閉蓋用ラベルの第１の実施形態を備えたものである。
図１は、本発明の包装体の開閉蓋用ラベルの第１の実施形態を包装体本体に貼付した状態であり、本発明の第１の実施形態の包装体を示す斜視図、図２は図１の包装体の開閉蓋用ラベルの平面図、図３は図１の包装体の開閉蓋用ラベル及び包装体の動作を示す断面図であって、（ａ）は包装体の開閉蓋用ラベルが剥離自在用摘み部から剥離された状態、（ｂ）は包装体の開閉蓋用ラベルが全剥離用摘み部から剥離された状態を示す図である。
【００１１】
本実施形態の包装体１は、図１に示す様に、天面に楕円形状の内容物取出口２１が開口された包装体本体２０を有しており、この包装体本体２０の天面に、本実施形態の、包装体の開閉蓋用ラベル１０が貼付されている。この開閉蓋用ラベル１０は、感圧接着剤１４を介して包装体本体２０に貼付されており、一端部に剥離自在用摘み部１１ａを有し包装体本体２０の内容物取出口２１を覆う剥離自在部１１と、該剥離自在部１１の他端部に連設された剥離停止部１２と、該剥離自在部１１と該剥離停止部１２とを区画する切り込み部１３とからなり、上記切り込み部１３は、上記一端部から剥離される剥離自在部１１の剥離を停止するように形成されている。これらの構成に関しては、従来の包装体の開閉蓋用ラベル及び包装体と同じである。
【００１２】
而して、本実施形態の包装体の開閉蓋用ラベル１０であって本実施形態の包装体１に貼付されている開閉蓋用ラベル１０では、図２に示す様に、上記剥離停止部１２の上記剥離自在部１１と最も離れた一端部の中央に全剥離用摘み部１２ａが形成されており、上記剥離自在用摘み部１１ａ及び上記全剥離用摘み部１２ａに、それぞれ剥離自在用又は全剥離用を表す表示１１ｂ，１２ｂがなされている。
【００１３】
本実施形態について詳述すると、上記開閉蓋用ラベル１０は、略矩形の中央部１０ａの短辺に先細の略山形部１０ｂ，１０ｃを連接した形状をしている。又上記切り込み部１３は、一方の略山形部１０ｂの底部近傍の両側縁から、この略山形部１０ｂの頂端近傍へ向けて対称的に、一対形成されており、切り込み部１３の終端部１３ａは円形に切り抜かれている。そして、切り込み部１３から一方の略山形部１０ｂの頂端側が剥離停止部１２、切り込み部１３から反対側の部分が剥離自在部１１となっており、上記一方の略山形部１０ｂの頂端近傍が上記全剥離用摘み部１２ａ、他方の略山形部１０ｃの頂端近傍は上記剥離自在用摘み部１１ａとなっている。
上記表示１１ｂは剥離自在用摘み部１１ａの表面に「お出かけ用」と文字によりなされており、上記表示１２ｂは全剥離用摘み部１２ａの表面に「詰め替え用」と文字によりなされている。
また、開閉蓋用ラベル１０の表面には、全面に樹脂（図示せず）が塗布されている。
更に、開閉蓋用ラベル１０の裏面には、感圧接着剤１４が、上記剥離自在用摘み部１１ａ、上記全剥離用摘み部１２ａ、及び包装体本体２０の内容物取出口２１と接する部分を除いて塗布されている。
【００１４】
上述の構成を有し本実施形態の包装体の開閉蓋用ラベル１０を有する本実施形態の包装体１では、そのまま携帯使用する場合等には、開閉蓋用ラベル１０の「お出かけ用」との表示１１ｂのなされた剥離自在用摘み部１１ａを摘み、全剥離用摘み部１２ａへ向かって剥離すると、剥離自在部１１が包装体本体２０から剥離されてゆき、包装体本体２０の内容物取出口２１が露出される。そして、剥離が切り込み部１３の切り込み口１３ｅに到達した後は、切り込み部１３より内側の部分だけで剥離が進行し、剥離が切り込み部１３の終端部１３ａに到達した後は、剥離方向の力が終端部１３ａによって分散され、終端部１３ａより先への剥離は阻止される。その結果、図３（ａ）に示す様に、剥離自在部１１のみが剥離され、剥離停止部１２は貼着されたままの状態となる。内容物を取り出した後再び剥離自在部１１を包装体本体２０に貼付させると、剥離自在部１１はもとの状態で貼付され、包装体本体２０の内容物取出口２１が確実に密封される。
【００１５】
また、プラスチック製の容器に入れて使用する場合等には、開閉蓋用ラベル１０の「詰め替え用」との表示１２ｂのなされた全剥離用摘み部１２ａを摘み、剥離停止部１２を剥離自在用摘み部１１ａへ向かって剥離してゆくと、剥離が切り込み部１３の終端部１３ａに到達し、その後は、図３（ｂ）に示す様に、剥離自在部１１も剥離されてゆき、開閉蓋用ラベル１０が全剥離される。
【００１６】
この様に、本実施形態の包装体の開閉蓋用ラベル１０及び本実施形態の包装体１によれば、開閉蓋用ラベル１０の剥離停止部１２の一端部に全剥離用摘み部１２ａが形成されているので、開閉蓋用ラベル１０の剥離自在部１１の一端部の剥離自在用摘み部１１ａから剥離を開始して包装体本体２０を繰り返し開閉使用することも、開閉蓋用ラベル１０の剥離停止部１２の一端部の全剥離用摘み部１２ａから剥離を開始して一度に全剥離して内容物取出口２１を露出させたまま使用することも容易である。
【００１７】
また、本実施形態の包装体の開閉蓋用ラベル１０及び本実施形態の包装体１によれば、包装体の開閉蓋用ラベル１０の両側縁から、剥離停止部１２の一端部の中央である一方の略山形部１０ｂの頂端へ向けて対称的に一対形成された、簡単な形状の切り込み部１３によって、剥離自在用摘み部１１ａから剥離停止部１２へ向けての剥離自在部１１の剥離を停止させることができる。
【００１８】
更に、本実施形態の包装体の開閉蓋用ラベル１０及び本実施形態の包装体１によれば、切り込み部１３が包装体の開閉蓋用ラベル１０の両側縁から、剥離停止部１２の一端部の中央近傍である一方の略山形部１０ｂの頂端近傍へ向けて形成されているので、剥離停止部１２を剥離自在部１１よりも幅広に形成する必要がなく、開閉蓋用ラベル１０を貼付するための包装体本体２０のスペースが少なくて済む。
【００１９】
次に、本発明の包装体の開閉蓋用ラベルの第２の実施形態について図面を参照しながら具体的に説明する。尚、本実施形態において、図１乃至図３に示す第１の実施形態の包装体の開閉蓋用ラベルと同一の部材については同一の符号を付し、説明は省略する。
図４は、本発明の包装体の開閉蓋用ラベルの第２の実施形態を示す平面図である。
【００２０】
本実施形態の包装体の開閉蓋用ラベル３０では、切り込み部３３は、包装体の開閉蓋用ラベル３０の内側に２つ形成されている。これらの切り込み部３３は、全剥離用摘み部１２ａ側が開放された開ループ形状に切り込まれて形成された主ループ３３ｂと、該主ループ３３ｂの終端から剥離自在部１１へＵ字状に折り返して切り込み形成された小ループ３３ａとよりなっている。
本実施形態において、切り込み部３３以外の構成は第１の実施形態の包装体の開閉蓋用ラベルと同じである。
【００２１】
本実施形態の包装体の開閉蓋用ラベル３０は、「お出かけ用」との表示１１ｂのなされた剥離自在用摘み部１１ａを摘み、全剥離用摘み部１２ａへ向かって剥離すると、切り込み部３３の主ループ３３ｂの内側では剥離が進行せず、また主ループ３３ｂの外側での剥離が切り込み部３３の小ループ３３ａに到達した後は、剥離方向の力が小ループ３３ａによって分散される。従って、小ループ３３ａより先の剥離停止部１２では剥離は阻止され、包装体本体に貼着されたままの状態が維持される。
また、「詰め替え用」との表示１２ｂのなされた全剥離用摘み部１２ａを摘み、剥離停止部１２を剥離自在用摘み部１１ａへ向かって剥離してゆくと、剥離停止部１２に続いて剥離自在部１１も剥離され、包装体の開閉蓋用ラベル３０は全剥離される。
【００２２】
この様に、本実施形態の包装体の開閉蓋用ラベル３０によっても、上述の第１の実施形態と同様に、剥離自在用摘み部１１ａ及び全剥離用摘み部１２ａのそれぞれから包装体の開閉蓋用ラベル３０を剥離することができ、剥離自在部１１のみを繰り返し剥離・貼付することも、一度に全剥離することも可能である。
【００２３】
また、本実施形態の包装体の開閉蓋用ラベル３０によれば、切り込み部３３が包装体の開閉蓋用ラベル３０の内側に形成されているので、剥離停止部１２を剥離自在部１１よりも幅広に形成する必要がなく、包装体の開閉蓋用ラベル３０を貼付するために必要なスペースが少なくて済む。
【００２４】
次に、本発明の包装体の第２の実施形態について図面を参照しながら具体的に説明する。尚、本実施形態において、図１乃至図３に示す第１の実施形態の包装体と同一の部材については同一の符号を付し、説明は省略する。
図５は、本発明の包装体の第２の実施形態を示す平面図である。
【００２５】
本実施形態の包装体４では、開閉蓋用ラベル４０の剥離自在用摘み部４１ａ及び全剥離用摘み部４２ａには、剥離自在用又は全剥離用を表す表示がなされていない。そして、上記剥離自在用摘み部４１ａ近傍における包装体本体５０に「お出かけ用」と文字による表示５０ａがなされており、上記全剥離用摘み部４２ａ近傍における包装体本体５０には、「詰め替え用」と文字による表示５０ｂがなされている。これら以外の構成は第１の実施形態と同じである。
本実施形態の包装体４によっても、第１の実施形態の包装体と同様の作用及び効果を得ることができる。
【００２６】
本発明は上述した実施形態に限定されるものではなく、本発明の趣旨を逸脱しない限り適宜変更可能である。
例えば、図６に示す様に、開閉蓋用ラベル６０の切り込み部６３は、全剥離用摘み部１２ａ側が開放された開ループ形状に切り込まれて形成された主ループ６３ｂと、該主ループ６３ｂの各端において円形状に切り込まれて形成された終端部６３ａとよりなるものを、包装体の開閉蓋用ラベル６０の内側に２つ形成してもよい。
また、図７に示す様に、開閉蓋用ラベル７０の切り込み部７３は、開閉蓋用ラベル７０の両側縁からそれぞれ内方に切り込まれ、全剥離用摘み部１２ａ側にのびる２つの主切り込み部７３ｂと、この主切り込み部７３ｂの終端から折り返された小ループ７３ａとよりなるものとしてもよい。
【００２７】
更に、図８に示す様に、開閉蓋用ラベル８０の剥離自在用摘み部８１ａや全剥離用摘み部８２ａは舌状形としてもよい。
更に、剥離自在用と全剥離用との区別をするための表示１１ｂ，１２ｂ，５０ａ，５０ｂは、剥離自在用摘み部１１ａ，４１ａと全剥離用摘み部１２ａ，４２ａとを区別できるものであればよく、上述の実施形態の様な「お出かけ用」と「詰め替え用」との印字の他、「剥離自在用」と「全剥離用」等の印字、記号や絵等を用いてもよい。
感圧接着剤１４は、包装体の開閉蓋用ラベル１０，３０，４０に塗布されておらず、包装体本体に塗布されていてもよい。
請求項４に記載の発明に係る包装体の実施形態におけるラベルとしては請求項１に記載の発明に係る開閉蓋用ラベルにおいて表示のないものを全て用いることができる。
また、本発明の包装体はウエットティッシュ、おしり拭きを収納するものに制限されないことは言う迄もない。
【００２８】
【発明の効果】
以上説明した様に、請求項１又は請求項２に記載の発明に係る包装体の開閉蓋用ラベルによれば、包装体本体の内容物取出口を繰り返し開閉することも、一度に全剥離して内容物取出口を露出させることも容易である。
【００２９】
請求項３又は請求項４に記載の発明に係る包装体によれば、開閉蓋用ラベルによって、包装体本体の内容物取出口を繰り返し開閉することも、一度に全剥離して内容物取出口を露出させることも容易である。
【図面の簡単な説明】
【図１】本発明の包装体の開閉蓋用ラベルの第１の実施形態を包装体本体に貼付した状態であり、本発明の包装体の第１の実施形態を示す斜視図である。
【図２】図１の包装体の開閉蓋用ラベルの平面図である。
【図３】図１の包装体の開閉蓋用ラベル及び包装体の動作を示す断面図であって、（ａ）は包装体開閉蓋用ラベルが剥離自在用摘み部から剥離された状態、（ｂ）は包装体の開閉蓋用ラベルが全剥離用摘み部から剥離された状態を示す図である。
【図４】本発明の包装体の開閉蓋用ラベルの第２の実施形態を示す平面図である。
【図５】本発明の包装体の第２の実施形態を示す平面図である。
【図６】本発明の包装体の開閉蓋用ラベルのその他の実施形態を示す平面図である。
【図７】本発明の包装体の開閉蓋用ラベルのその他の実施形態を示す平面図である。
【図８】本発明の包装体の開閉蓋用ラベルのその他の実施形態を示す平面図である。
【図９】従来技術の包装体の開閉蓋用ラベル及び包装体の一例を示す平面図である。
【図１０】従来技術の包装体の開閉蓋用ラベル及び包装体のその他の例を示す平面図である。
【符号の説明】
１    包装体
４    包装体
１０    開閉蓋用ラベル
１０ａ  中央部
１０ｂ  略山形部
１０ｃ  略山形部
１１    剥離自在部
１１ａ  剥離自在用摘み部
１１ｂ  表示
１２    剥離停止部
１２ａ  全剥離用摘み部
１２ｂ  表示
１３    切り込み部
１３ａ  終端部
１３ｅ  切り込み口
１４    感圧接着剤
２０    包装体本体
２１    内容物取出口
３０    開閉蓋用ラベル
３３    切り込み部
３３ａ  小ループ
３３ｂ  主ループ
４０    開閉蓋用ラベル
４１ａ  剥離自在用摘み部
４２ａ  全剥離用摘み部
５０    包装体本体
５０ａ  表示
５０ｂ  表示
６０    開閉蓋用ラベル
６３    切り込み部
６３ａ  終端部
６３ｂ  主ループ
７０    開閉蓋用ラベル
７３    切り込み部
７３ａ  小ループ
７３ｂ  主切り込み部
８０    開閉蓋用ラベル
８１ａ  剥離自在用摘み部
８２ａ  全剥離用摘み部
【図１】
0003553239.tif 000002
【図２】
0003553239.tif 000003
【図３】
0003553239.tif 000004
【図４】
0003553239.tif 000005
【図５】
0003553239.tif 000006
【図６】
0003553239.tif 000007
【図７】
0003553239.tif 000008
【図８】
0003553239.tif 000009
【図９】
0003553239.tif 000010
【図１０】
0003553239.tif 000011